(57)【要約】【課題】靴紐を簡単にゆるめることのできる靴紐ゆるめ具を提供する。【解決手段】紐靴１０の左右の甲被部を接続する靴紐１５を挿通する穴５を２つ形成した剛性の有る材料で形成した本体２と、本体２に接続されてループ部７を形成した、柔軟性の有る材料の帯体３とを備えたものとする。【選択図】        図１
2004215936.tif 000002
【特許請求の範囲】
【請求項１】
履口部（１１）の前方で左右に分かれて位置する左右の甲被部を有する紐靴（１０）に取付ける靴紐ゆるめ具（１）であって、左右の甲被部を接続する靴紐（１５）を挿通する穴（５）を２つ形成した本体（２）と、本体（２）に接続されてループ部（７）を形成した帯体（３）とを備えた靴紐ゆるめ具（１）。
【請求項２】
前記本体（２）は、剛性の有る材料で形成され、帯体（３）は柔軟性の有る材料で形成された請求項１に記載の靴紐ゆるめ具（１）。
【請求項３】
前記本体（２）の穴（５）の壁面は、前記帯体（３）を介して本体（２）が上方に持上げられたとき、靴紐（１５）を下から持上げる凸状の面（９）を有している請求項１または請求項２に記載の靴紐ゆるめ具（１）。
【発明の詳細な説明】
【０００１】
【発明の属する技術分野】
本発明は、紐靴に取付けることで靴紐を簡単にゆるめることのできる靴紐ゆるめ具に関するものである。
【０００２】
【従来の技術】
紐靴は、基本的な構成として、履口部の前方で左右に分かれて位置する左右の甲被部と、この左右の甲被部の下に重なって位置する舌片部と、舌片部の上を左右に横切って左右の甲被部を接続する靴紐とを備える。
【０００３】
紐靴を脱ぐ時には、通常、次の動作を行なう。
１）靴紐両端の結びを解く。
２）舌片部上で左右に横切る靴紐を指で引っ掛けて上に持上げ  、靴紐を弛める。
３）左右の甲被部の間隔を広げる。
４）舌片部を指で上方に持上げ  、履口部の開口面積を大きくする。
【０００４】
紐靴を脱ぐ時には、上記のような面倒な動作が必要になる。そこで、靴紐をゆるめることなく、靴の着脱を容易に行うことができる靴が提案されている。
【０００５】
例えば実開平７−３３１２号公報では、左右の前革部の両方に対向縁部近傍の形状に合わせた装飾片を設け、少なくとも一方の装飾片にはとめを前革部に貫通することなく形成し、少なくとも一方の装飾片を着脱可能な固着具によって前革部の一方に取付ける靴が記載されている。
【０００６】
また、特開２０００−５０９０７号公報では、両前胛被部の形状に合わせて締緩を行う靴紐と、屈曲部近傍位置に一端を縫付固定した連結締緩調節バンドを係合部材により脱着自在とし、これらの両機能による締縛調整を行う靴が記載されている。
【０００７】
【特許文献１】
実開平７−３３１２号公報
【特許文献２】
特開２０００−５０９０７号公報
【０００８】
【発明が解決しようとする課題】
しかしながら、前記実開平７−３３１２号公報に記載のものは、靴紐と靴紐を挿通した装飾片を固着具によって前革部に着脱可能とする２種類の締め具を有するものであるため、靴の重量が増加し、製造工程も増加する。また、該公報に記載の靴は、装飾片が略三角形で面積が小さいため、強い締縛を要しない子供用あるいは身体障害者用の靴として適したものである。
【０００９】
前記特開２０００−５０９０７号公報に記載のものも、靴紐と連結締緩調節バンドの２種類の締め具を有するものであるため、靴の重量が増加し、製造工程も増加する。この連結締緩調節バンドは、前胛被部の屈曲部近傍位置から踵部近傍の領域まで延設して横方向に取付けられているので、強い締縛を要する靴にも適するものであるが、連結締緩調節バンドが破損した時は、使用者で補修ができないといった問題点が有る。
【００１０】
本発明の目的は、スポーツシューズのように、プレー中または走行中に靴がゆるまないようにするために靴紐で強く締縛するものでも、靴紐に挿通して取付けるだけで、靴紐を簡単に弛めることができる靴紐ゆるめ具を提供することである。
【００１１】
【課題を解決するための手段】
本発明は、履口部の前方で左右に分かれて位置する左右の甲被部を有する紐靴に取付ける靴紐ゆるめ具であって、左右の甲被部を接続する靴紐を挿通する穴を２つ形成した本体と、本体に接続されてループ部を形成した帯体とを備えた靴紐ゆるめ具である。
該靴紐ゆるめ具を装着した紐靴の靴紐をゆるめる時は、左右の甲被部の上部で結ばれた靴紐の両端部を解いた後、帯体のループ部を指で引っ掛けて上に持上げ  ることで、本体の穴に挿通された靴紐が持上げられるので、靴紐を簡単にゆるめることができ、靴を容易に脱ぐことができるようになる。
なお、穴は１つでも靴紐をゆるめることができるが、靴紐が持上げられる際、靴紐同士の摩擦抵抗が作用し、帯体を引っ張り上げるのに力を要するので好ましくない。
【００１２】
従って、靴紐ゆるめ具の本体は、剛性の有る材料で形成し、帯体は柔軟性の有る材料で形成することが望ましい。
本体を剛性の有る材料で形成することで、強い力で帯体を引っ張り上げても本体が変形することなく、靴紐が穴の中を滑りながらスムーズに持上げることができる。
帯体を柔軟性の有る材料で形成することで、帯体に引っ掛けた指に沿うように変形し、スムーズに持上げることができる。また、靴紐を締めた時は、靴紐の両端部を結んだ下に帯体を収納することで、歩行中または走行中邪魔にならない。
【００１３】
前記本体の穴の壁面は、本体に接続された前記帯体を介して本体が上方に持上げられたとき、穴に挿通された靴紐を下から持上げる凸状の面を有していることが好ましい。
このように形成することで、帯体を引っ張り上げた際、靴紐をよりスムーズに持上げることができる。
【００１４】
【発明の実施の形態】
本発明の靴紐ゆるめ具は、紐靴の左右の甲被部を接続する靴紐を挿通する穴を２つ形成した本体と、本体に接続されてループ部を形成した帯体とを備える。本体は、剛性の有る材料で形成し、帯体は柔軟性の有る材料で形成するが、典型的には本体は合成樹脂製であり、帯体は合成繊維製である。
【００１５】
本体の合成樹脂は、ポリアセタールやナイロンなどの成形が容易で、軽くて強度のあるエンジニヤリングプラスチックが望ましい。帯体はナイロンやポリエステルなどの強度の有る織テープが望ましい。
【００１６】
本体は、帯体を通すための帯体通し穴と、靴紐を通すための穴を２つ有している。帯体通し穴は帯体の横ずれを防止するため、帯体の幅と同じにする。靴紐を通すための穴は、帯体を引っ張り上げた際、靴紐が穴の表面を滑りながら上方に持上げられるので、該表面を凸状の面とすることが望ましい。
【００１７】
帯体は、帯体通し穴に通して端部を縫い合わせたままの状態でも良いが、帯体を帯体通し穴に通した後、本体の上方端近傍で縫い付けて、該縫い付け部から上方にループ部を形成する方が、帯体の横ずれを防止するのに有効である。
【００１８】
靴紐ゆるめ具は、左右の甲被部を接続する靴紐の内、任意の位置の靴紐に挿通して取付けることができるが、上方の靴紐に挿通して取付ける方が、靴紐をよりスムーズに持上げることができる。
【００１９】
【実施例】
以下、図面を参照して実施例について説明する。図１は本発明の靴紐ゆるめ具１の正面図および側面図、図２は本体２の正面図および側面図、図３は帯体３取付け部の要部断面図、図４は靴紐ゆるめ具１を取付けた紐靴１０の一実施形態を示す斜視図、図５は靴紐ゆるめ具１を上に引っ張り上げた状態を示す斜視図である。
【００２０】
図１に示す靴紐ゆるめ具１の本体２は、ポリアセタール樹脂を用いて金型成形したものであり、帯体３はポリエステル繊維の織テープである。本体２には上部に帯体通し穴４を形成し、裏面に靴紐１５を挿通する穴５を２つ形成している。帯体３は帯体通し穴４に通した後、本体２の上方端近傍で縫い付けて、該縫い付け部６ａから上方にループ部７を形成している。
【００２１】
図２に示すように、帯体通し穴４は本体上部に帯体３の幅に同じ大きさに形成している。靴紐１５を挿通する穴５は、本体裏面の中央部の靴紐通し部８に上下に２つ形成し、穴５の壁面は、本体２が帯体３を介して上方に持上げられたとき、靴紐１５を下から持上げる凸状の面９を有している。
【００２２】
図３に示すように、帯体３の本体２への接続は、帯体３を帯体通し穴４に通した後、帯体３の両端から約１ｃｍ下方を夫々反転させて縫着し、該縫着部６ｂから両端までを反転させて、縫着部６ｂから両端までを二つ割にして帯体通し穴４上部の本体２をはさむようにして、本体２の上方端近傍で縫い付けるようにしている。このように縫着することで、本体２との接続部が二重となり帯体３を強固に取付けることができる。
【００２３】
図４に示す紐靴１０は、足を出し入れするための履口部１１の前方で、左右に分かれて位置する左甲被部１２および右甲被部１３と、左右の甲被部の下に重なって位置する舌片部１４と、左右の甲被部を接続する靴紐１５とを備える。図４に示す状態では、靴紐１５の両端の結びは解かれている。
靴紐ゆるめ具１は、左甲被部１２および右甲被部１３に開けられたはとめ孔１６の上から２番目および３番目のはとめ孔１６に挿通して左右の甲被部を接続する靴紐１５を、本体２の靴紐を通すための穴５に挿通して取付けている。
【００２４】
靴を履く時には、履口部１１に足を入れた後、靴紐１５の両端を引っ張って左右に引き離す。この動作により、靴紐ゆるめ具１の本体２が甲被部に接するように引き寄せられ、ループ部７が甲被部の上部に位置するようになる。この状態でループ部７の上から靴紐１５の両端を結ぶことにより、靴紐ゆるめ具１が収納され、靴を履く時の動作が完了する。
【００２５】
靴を脱ぐ時には、図５に示すように、靴紐１５をほどいた状態でループ部７に指を引っ掛けて上に持上げ  る。この動作により、本体２の穴５に挿通された靴紐１５が上に持上げられるので靴紐１５がゆるみ、左右の甲被部の上部が広がることから靴を容易に脱ぐことができるようになる。
【００２６】
なお、上記は一実施の形態を示したものであり、本体２をアルミニュームや鉄などの金属で成形しても、また、帯体３を紐状の形態のものにしても同様の機能を有する靴紐ゆるめ具１とすることができる。
【００２７】
【発明の効果】
本発明の靴紐ゆるめ具は、どのような紐靴にも取付けることができるが、特に靴紐を強く締縛するスポーツシューズであっても靴紐を簡単にゆるめることができる。
【００２８】
本発明の靴紐ゆるめ具は、小さな本体と指を引っ掛ける帯体とで構成しているだけなので、紐靴に取付けても大きく靴の重量が増加することがない。また、靴の製造工程が増加することがない。
【００２９】
本発明の靴紐ゆるめ具は、紐靴に取付ける部品のため、万一縫い付け部等が破損しても、部品を取り替えるだけで良い。また、本体や帯体の色の異なる靴紐ゆるめ具に取り替えることで、意匠的効果を持たせることもできる。
【図面の簡単な説明】
【図１】（ａ）本発明の靴紐ゆるめ具の正面図。
（ｂ）本発明の靴紐ゆるめ具の側面図。
【図２】（ａ）本体の正面図。
（ｂ）本体の側面図。
【図３】帯体取付け部の要部断面図。
【図４】靴紐ゆるめ具を取付けた紐靴の一実施形態を示す斜視図。
【図５】靴紐ゆるめ具を上に引っ張り上げた状態を示す斜視図。
【符号の説明】
１  靴紐ゆるめ具
２  本体
３  帯体
４  帯体通し穴
５  穴
６ａ  縫い付け部
６ｂ  縫着部
７  ループ部
８  靴紐通し部
９  凸状の面
１０  紐靴
１１  履口部
１２  左甲被部
１３  右甲被部
１４  舌片部
１５  靴紐
１６  はとめ孔
【図１】
2004215936.tif 000003
【図２】
2004215936.tif 000004
【図３】
2004215936.tif 000005
【図４】
2004215936.tif 000006
【図５】
2004215936.tif 000007